(57)【要約】      （修正有）【課題】支持片構造に比較的大きな疲労度が生じにくく、支持片の変形、損傷を防止できる光ファイバーアダプタを提供する。【解決手段】光ファイバーアダプタ１００は、受座１とシャッタ２と支持座３とを含む。シャッタ２が受座１の挿し口部１１に枢結され、支持座３が受座１底部に組み込まれる。支持座３の表面に貫通溝１２内部に位置する支持片５が設けられる。支持片５の一端には支持座３上に固定された固定部を有する。支持片５の他端にはシャッタ２まで斜めに延伸することでシャッタ２の裏面を突っ張り支持する突っ張り支持部５２を有する。この支持座３を受座１底部に装着することが簡単となり、支持片５でシャッタ２の裏面を突っ張り支持させることで、組立が非常に便利となる。支持片５でシャッタ２の裏面を突っ張り支持させる方式は、支持片５がシャッタ２から押動されて圧縮された時、支持片５の圧縮量及び圧縮角度も小さい。【選択図】図２
0003220604.tif 000002
【実用新案登録請求の範囲】
【請求項１】
一端に挿し口部を有し、一側に前記挿し口部に連通する貫通溝を有し、前記貫通溝両側における側壁に結合部を有する受座と、
前記受座の両側壁に枢結することで前記挿し口部を遮蔽するシャッタと、
両側に前記結合部に組み込まれる係止部を有し、表面に前記貫通溝内部に位置する支持片が設けられ、前記支持片の一端には支持座上に固定される固定部を有し、前記支持片の他端には前記シャッタまで斜めに延伸することで前記シャッタの内側面を突っ張り支持する突っ張り支持部を有する支持座と、
を含むことを特徴とする、光ファイバーアダプタ。
【請求項２】
前記シャッタの表面は、前記貫通溝内部に向けて内方に凹む凹部を有し、前記支持片の前記他端の前記突っ張り支持部が前記凹部の後側を突っ張り支持することを特徴とする、請求項１に記載の光ファイバーアダプタ。
【請求項３】
前記突っ張り支持部は、円弧状面を形成し、前記凹部と前記シャッタとの間のコーナー部を突っ張り支持することを特徴とする、請求項２に記載の光ファイバーアダプタ。
【請求項４】
前記支持座と前記支持片とは一体となり、前記支持片が前記支持座の前記表面から前記シャッタに向けて斜めに延伸することを特徴とする、請求項１に記載の光ファイバーアダプタ。
【請求項５】
前記支持座と前記支持片は、組立式の構成部材であり、前記支持座の前記表面は係止溝を有し、前記支持片の側辺から前記係止溝に係合するための係合片が突出することを特徴とする、請求項１に記載の光ファイバーアダプタ。
【請求項６】
前記支持座の前記表面は、前記係合片に当接支持するストッパーを有することを特徴とする、請求項５に記載の光ファイバーアダプタ。
【請求項７】
前記支持片は、前記固定部から外側に向けて延伸することで前記支持座の底面に係合する曲がり片を備えることを特徴とする、請求項５に記載の光ファイバーアダプタ。
【請求項８】
前記支持片は、熱処理を施した金属材料であることを特徴とする、請求項５に記載の光ファイバーアダプタ。
【請求項９】
前記結合部は、側壁底部に挿入孔が設けられ、前記係止部が前記支持座の前記表面から前記挿入孔に係合する位置決めポストを突出することを特徴とする、請求項１に記載の光ファイバーアダプタ。
【請求項１０】
前記受座の他端に受口部とスライドレールとを有し、
前記光ファイバーアダプタは、前記スライドレールに差し込むことで受座内部に固定されるベース組立体を更に含むことを特徴とする、請求項１に記載の光ファイバーアダプタ。
【考案の詳細な説明】
【技術分野】
【０００１】
本考案は、アダプタに関し、特に、光ファイバーアダプタに関する。
【背景技術】
【０００２】
光回線において、信号は通常対となり、１つの信号が送信に用いられ、もう１つの信号が受信に用いられる。光ファイバーの光伝導工具は、比較的短い光ファイバーを接続することで、長さが比較的長い光ファイバーにすることができる。また、光ファイバーを光源又は検出器のような能動素子に接続することもでき、或いは光ファイバーを光スイッチ、若しくは光減衰器のような受動素子に接続することもできる。
【０００３】
一般的に、光ファイバーアダプタ内の光ファイバーは、接続エレメントの光路とカップリングでき、光ファイバーアダプタを着脱可能なアダプタ（ａｄａｐｔｅｒ）に差し込まれる。被挿の前、外部塵埃等がアダプタ内に侵入することで、内部の光ファイバーが影響、或いは更に損傷を受けないように、現在ではアダプタにシャッタが枢着されて防止している。
【０００４】
しかしながら、従来のシャッタは、両側の軸棒でアダプタを突き合わせてチャンバー内に枢結され、また軸棒上に弾性片又はバネを嵌設してシャッタ回転後の弾性による復元作用を提供している。従来のＬ字型弾性片を例にすると、弾性片の一端は、シャッタの後側に当接され、弾性片の他端がアダプタの下蓋に当接され、構造上において弾性片の当接支持を供する。そのため、下蓋を設けなければならないため、アダプタの構造自体は、下蓋のコスト及びその組立プロセスを別途追加しなければならない。また、Ｌ字型弾性片は、シャッタ上の貫通孔に挿通して組み込まなければならないため、組立上も比較的容易ではなく、且つ該Ｌ字型弾性片を使用した時、弾性片の一端が他端に向けて圧縮されることで、圧縮後の角度が比較的大きくなり、弾性片のコーナー部を容易に疲労させて折損していた。
【考案の概要】
【考案が解決しようとする課題】
【０００５】
上記課題を解決するために、鋭意研究を重ねた結果、以下の考案を完成するに至った。
【課題を解決するための手段】
【０００６】
本考案は、光ファイバーアダプタを提供するものであり、この光ファイバーアダプタは受座とシャッタと支持座と、を含む。受座の一端に挿し口部を有し、受座の一側に挿し口部に連通する貫通溝を有し、受座の貫通溝両側において側壁に結合部を有する。シャッタは、受座の両側壁に枢結することで挿し口部を遮蔽する。支持座の両側に結合部に組み込まれる係止部を有し、支持座の表面に貫通溝内部に位置する支持片が設けられ、支持片の一端には支持座上に固定される固定部を有し、支持片の他端にはシャッタまで斜めに延伸することでシャッタの内側面を突っ張り支持する突っ張り支持部を有する。
【０００７】
一実施例において、シャッタの表面は貫通溝内部に向けて内方に凹む凹部を有し、支持片の他端の突っ張り支持部が凹部の後側を突っ張り支持する。
【０００８】
一実施例において、突っ張り支持部は、円弧状面を形成し、凹部とシャッタとの間のコーナー部を突っ張り支持する。
【０００９】
一実施例において、支持座と支持片とは一体となり、支持片が支持座の表面からシャッタに向けて斜めに延伸する。
【００１０】
一実施例において、支持座と支持片は、組立式の構成部材であり、支持座の表面は係止溝を有し、支持片の側辺から係止溝に係合するための係合片が突出する。
【００１１】
一実施例において、支持座の表面は係合片に当接支持するストッパーを有する。
【００１２】
一実施例において、支持片は、固定部から外側に向けて延伸することで支持座の底面に係合する曲がり片を備える。
【００１３】
一実施例において、支持片は、熱処理が施された金属材料である。
【００１４】
一実施例において、結合部は、側壁底部に挿入孔が設けられ、係止部が支持座の表面から挿入孔に係合する位置決めポストを突出する。
【００１５】
一実施例において、受座の他端に受口部とスライドレールとを有し、光ファイバーアダプタはスライドレールに差し込むことで受座内部に固定されるベース組立体を更に含む。
【考案の効果】
【００１６】
支持座と支持片の構造方式を用いることで、支持座を受座底部に装着することが簡単となる。支持片でシャッタの裏面を突っ張り支持させることで、組立が非常に便利となり、同時に防塵効果も提供できる。かつ、支持片でシャッタの裏面を突っ張り支持させる方式は、支持片がシャッタから押動されて圧縮された時、支持片の圧縮量及び圧縮角度も小さいため、支持片構造に比較的大きな疲労度が生じにくく、支持片に過大な疲労が発生することによる変形、損傷することを防止できる。
【図面の簡単な説明】
【００１７】
【図１】本考案の外観を示す模式図である。
【図２】本考案の分解図（一）である。
【図３】本考案の分解図（二）である。
【図４】本考案に係る支持座及び支持片の分解図である。
【図５】本考案の側断面図である。
【図６】本考案に係るシャッタ及び支持片を使用した時の側断面図である。
【図７】本考案に係る支持座及び支持片の別の実施態様の外観を示す模式図である。
【考案を実施するための形態】
【００１８】
本考案の目的、技術的特徴及び利点を当業者に理解させると共に本考案を実施できるため、添付図面を参照しながら後記の明細明書において本考案の技術的特徴及び実施形態を説明し、また好ましい実施例を挙げて更なる説明を行う。ただし、以下の実施例の説明は、本考案を限定するものではなく、かつ以下の説明文において対照する図面は、本考案の特徴と関係する意味を表現している。
【００１９】
図１乃至図５を同時に参照すると、図１は、外観を示す模式図、図２が分解図（一）、図３が分解図（二）、図４が支持座３及び支持片５の分解図、図５が側断面図である。本実施例において、光ファイバーアダプタ１００は、複数の光ファイバーコネクタ（図示せず）の挿抜のために用いられる。光ファイバーアダプタ１００は、受座１とシャッタ２と支持座３とを含む。ここで、受座１の一端に複数の挿し口部１１を有し、他端に複数の受口部１３を有するもので説明する。しかし、これに限られるものではなく、若干の実施態様において、受座１の一端には挿し口部１１を有し、他端にも受口部１３を有し、２個の光ファイバーコネクタを各々挿し口部１１及び受口部１３に挿入するために用いられる。光ファイバーアダプタ１００は、受座１を覆い被せるためのケーシング８を含む。
【００２０】
図１乃至図５を同時に参照すると、本実施例において、受座１は、矩形枠体の中空筐体であり、受座１の一端（前方）には挿し口部１１を有し、受座１の一側（底部）にも挿し口部１１に連通する貫通溝１２を有し、受座１の貫通溝１２両側における側壁１ａに結合部１４を有し、結合部１４の側壁１ａの底部に挿入孔１４１及び凹溝が設けられる。
【００２１】
図１乃至図５を同時に参照すると、本実施例において、受座１の他端に受口部１３とスライドレール１３１とを有する。光ファイバーアダプタ１００は、スライドレール１３１に差し込むことで受座１内部に固定されるベース組立体７を更に含む。ベース組立体７が受座１内部に挿入されることで安定して位置決めさせることができ、組立が非常に簡単となる。
【００２２】
図１乃至図６を同時に参照すると、図６は、シャッタ２及び支持片５を使用した時の側断面図である。本実施例において、シャッタ２は、受座１の両側壁１ａに枢結されることで、挿し口部１１が遮蔽される。シャッタ２は、長方形板材で、シャッタ２のサイズが挿し口部１１のサイズと一致する。シャッタ２は、挿し口部１１に設けられることで防塵という機能を働かせる。特に、光ファイバーコネクタが挿し口部１１に挿入された時、光ファイバーコネクタの先端のプラグがシャッタ２に押し当てられることで、シャッタ２が底部の軸部を中心に回転して受座１の内部に向けて揺動し、光ファイバーコネクタが受座１内部に挿入されて固定する。
【００２３】
図１乃至図５を同時に参照すると、本実施例において、シャッタ２の表面に凹部２１が形成され、すなわち、シャッタ２の表面には、貫通溝１２の内部に向けて内方に凹む凹部２１を有する。光ファイバーコネクタが挿し口部１１に挿入された時、光ファイバーコネクタの先端のプラグが凹部２１の内側面に接触する。ただし、これに限られるものではなく、若干の実施例態様において、シャッタ２は平坦な板材とすることができる。光ファイバーコネクタが挿し口部１１に挿入された時、光ファイバーコネクタの先端のプラグがシャッタ２の表面に接触され、同様にシャッタ２に押し当てることで、シャッタ２を受座１内部に向けて揺動させることができる。
【００２４】
図１乃至図５を同時に参照すると、本実施例において、支持座３は、プラスチックブロックであり、支持座３の両側に結合部１４に組み込まれた係止部３４を有する。ここで係止部３４は、支持座３の表面から挿入孔１４１に係合する位置決めポスト３４１を突出させ、かつ係止部３４が支持座３の両側から凹溝に係合する凸部を突出し、結合部１４と係止部３４も締まりばめの固定方法で行うことができる。
【００２５】
図１乃至図５を同時に参照すると、本実施例において、支持座３の表面には、貫通溝１２の内部に位置する支持片５が設けられる。ここで、支持座３及び支持片５が組立式の構成部材である。すなわち、支持座３及び支持片５が互いに分離する構成部材で、組立を通じて結合させることで、支持片５が熱処理を施した金属材料であり、支持片５の構造強度を向上させることができる。かつ、支持座３の表面に係止溝３３を有し、支持片５の側辺から係止溝３３に係合する係合片５３が突出し、また係合片５３の脱落を防止するため、支持座３の表面には係合片５３で当接支持するストッパー３５を有する。
【００２６】
上記の支持座３と支持片５の組立式構成部材の方式は一例であって、若干の実施態様において、図７を同時に参照すると、図７は、支持座３及び支持片５の別の実施態様の外観を示す模式図である。支持座３及び支持片５は、一体となり、プラスチック材質とすることができ、かつ支持片５が支持座３の表面からシャッタ２に向けて斜めに延伸する。
【００２７】
図１乃至図５を同時に参照すると、本実施例において、支持片５の一端には支持座３上に固定された固定部５１を有する。支持片５の他端にもシャッタ２まで斜めに延伸することで、シャッタ２の内側面を突っ張り支持する突っ張り支持部５２を有する。ここで、支持片５の他端にある突っ張り支持部５２は、シャッタ２の凹部２１の後側を突っ張り支持し、かつ突っ張り支持部５２に円弧状面５２１が形成され、突っ張り支持部５２が凹部２１とシャッタ２との間のコーナー部を突っ張り支持する。
【００２８】
図１乃至図５を同時に参照すると、本実施例において、支持片５は、固定部５１から外方に向かって延伸することで、支持座３の底面と係合する曲がり片５５を備える。すなわち、支持片５の断面を見ると、やや∠記号のような外形を呈する。
【００２９】
図１乃至図６を同時に参照すると、本実施例において、光ファイバーコネクタを挿し口部１１外から抜き取った時、シャッタ２の裏面が支持片５の突っ張り支持部５２の突っ張り支持を受け、圧迫されている突っ張り支持部５２が跳ね返ることで、シャッタ２が突っ張り支持部５２から押動されて挿し口部１１を閉じる元の位置に戻って、防塵機能を働かせる。
【産業上の利用可能性】
【００３０】
支持座と支持片の構造方式を用いることで、支持座を受座底部に装着することが簡単となる。支持片でシャッタの裏面を突っ張り支持させることで、組立が非常に便利となり、同時に防塵効果も提供できる。かつ、支持片でシャッタの裏面を突っ張り支持させる方式は、支持片がシャッタから押動されて圧縮された時、支持片の圧縮量及び圧縮角度も小さいため、支持片構造に比較的大きな疲労度が生じにくく、支持片に過大な疲労が発生することによる変形、損傷することを防止できる。
【００３１】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００３２】
１００            光ファイバーアダプタ
１            受座
１ａ            側壁
１１            挿し口部
１２            貫通溝
１３            受口部
１３１            スライドレール
１４            結合部
１４１            挿入孔
２            シャッタ
２１            凹部
３            支持座
３３            係止溝
３４            係止部
３４１            位置決めポスト
３５            ストッパー
５            支持片
５１            固定部
５２            突っ張り支持部
５２１            円弧状面
５３            係合片
５５            曲がり片
７            ベース組立体
８            ケーシング
【図１】
0003220604.tif 000003
【図２】
0003220604.tif 000004
【図３】
0003220604.tif 000005
【図４】
0003220604.tif 000006
【図５】
0003220604.tif 000007
【図６】
0003220604.tif 000008
【図７】
0003220604.tif 000009